(57)【要約】【課題】ＥＣＣブロック単位でのエラーがその誤り訂正能力を超えて発生した場合であってもＤＭＡマネージャに記憶されている最新のＤＭＡの位置情報を読み出すことを可能とし、短時間でＤＭＡにアクセスすることができる情報記録再生装置を提供する【解決手段】欠陥管理エリアの位置を示す情報を多重化して所定のデータブロック単位で誤り訂正符号によって符号化し記録、再生する手段と、符号化して記録した情報が前記データブロックの単位で誤り訂正ができない場合であっても、前記データブロックのデータ単位よりも小さなデータ単位で誤り訂正が可能な場合又は誤りが検出されなかった場合には、誤り訂正後の又は誤りが検出されなかった前記小さなデータ単位のデータに基づいて前記欠陥管理エリアの位置を示す情報を補完する手段と、を備えたことを特徴とする。【選択図】  図６
2007035198.tif 000002
【特許請求の範囲】
【請求項１】
ユーザデータを情報記憶媒体のユーザエリアに記録し再生する手段と、
前記ユーザエリア内の欠陥領域に記憶できなかった前記ユーザデータを前記情報記憶媒体のスペアエリアに交替して記録し再生する手段と、
前記交替して記憶された前記ユーザデータを再生するための欠陥管理情報を前記情報記憶媒体の複数の欠陥管理エリアに記録し再生する手段と、
前記欠陥管理エリアの位置を示す情報を多重化して所定のデータブロックを形成し、前記データブロックを誤り訂正符号によって符号化した情報を前記情報記憶媒体に記録すると共に、前記誤り訂正符号を用いて復号化し再生する手段と、
前記符号化して記録した情報が前記データブロックの単位で誤り訂正ができない場合であっても、前記データブロックのデータ単位よりも小さなデータ単位で誤り訂正が可能な場合又は誤りが検出されなかった場合には、誤り訂正後の又は誤りが検出されなかった前記小さなデータ単位のデータに基づいて前記欠陥管理エリアの位置を示す情報を補完する手段と、
を備えたことを特徴とする情報記録再生装置。
【請求項２】
前記補完する手段は、
多重化された前記欠陥管理エリアの位置を示す情報の各々に対してビット単位で比較し、対応するビット位置における同一のビット値の数が所定の閾値を超えたときにそのビット値をそのビット位置におけるビット値とする手段をさらに備えたことを特徴とする請求項１に記載の情報記録再生装置。
【請求項３】
前記補完する手段は、
多重化された前記欠陥管理エリアの位置を示す情報の各々に対してバイト単位で比較し、対応するバイト位置における同一のバイト値の数が所定の閾値を超えたときにそのバイト値をそのバイト位置におけるバイト値とする手段をさらに備えたことを特徴とする請求項１に記載の情報記録再生装置。
【請求項４】
前記データブロックは、セクタ毎に誤り検出可能な複数のセクタを備えて構成され、
前記補完する手段は、
前記複数のセクタに記録されたデータのうち、少なくとも１以上のセクタで誤りが検出されない場合には、そのセクタから前記欠陥管理エリアの位置を示す情報を抽出する手段である、ことを特徴とする請求項１に記載の情報記録再生装置。
【請求項５】
前記データブロックは、行毎に誤り訂正可能な複数の行を備えて構成され、
前記補完する手段は、
前記複数の行に記録されたデータのうち、少なくとも１以上の行のデータが誤り訂正可能で有る、或いは誤りが検出されない場合には、その行から前記欠陥管理エリアの位置を示す情報を抽出する手段である、ことを特徴とする請求項１に記載の情報記録再生装置。
【請求項６】
補完された前記欠陥管理エリアの位置を示す情報に基づいて欠陥管理エリアを参照すると共に、参照した欠陥管理エリアに記録されている欠陥管理情報が最新の欠陥管理情報であることを確認する手段をさらに備えたこと特徴とする請求項１に記載の情報記録再生装置。
【請求項７】
ユーザデータを情報記憶媒体のユーザエリアに記録し再生するステップと、
前記ユーザエリア内の欠陥領域に記憶できなかった前記ユーザデータを前記情報記憶媒体のスペアエリアに交替して記録し再生するステップと、
前記交替して記憶された前記ユーザデータを再生するための欠陥管理情報を前記情報記憶媒体の複数の欠陥管理エリアに記録し再生するステップと、
前記欠陥管理エリアの位置を示す情報を多重化して所定のデータブロックを形成し、前記データブロックを誤り訂正符号によって符号化した情報を前記情報記憶媒体に記録すると共に、前記誤り訂正符号を用いて復号化し再生するステップと、
前記符号化して記録した情報が前記データブロックの単位で誤り訂正ができない場合であっても、前記データブロックのデータ単位よりも小さなデータ単位で誤り訂正が可能な場合又は誤りが検出されなかった場合には、誤り訂正後の又は誤りが検出されなかった前記小さなデータ単位のデータに基づいて前記欠陥管理エリアの位置を示す情報を補完するステップと、
を備えたことを特徴とする情報記録再生方法。
【請求項８】
前記補完するステップは、
多重化された前記欠陥管理エリアの位置を示す情報の各々に対してビット単位で比較し、対応するビット位置における同一のビット値の数が所定の閾値を超えたときにそのビット値をそのビット位置におけるビット値とするステップをさらに備えたことを特徴とする請求項７に記載の情報記録再生方法。
【請求項９】
前記補完するステップは、
多重化された前記欠陥管理エリアの位置を示す情報の各々に対してバイト単位で比較し、対応するバイト位置における同一のバイト値の数が所定の閾値を超えたときにそのバイト値をそのバイト位置におけるバイト値とするステップをさらに備えたことを特徴とする請求項７に記載の情報記録再生方法。
【請求項１０】
前記データブロックは、セクタ毎に誤り検出可能な複数のセクタを備えて構成され、
前記補完するステップは、
前記複数のセクタに記録されたデータのうち、少なくとも１以上のセクタで誤りが検出されない場合には、そのセクタから前記欠陥管理エリアの位置を示す情報を抽出するステップである、ことを特徴とする請求項７に記載の情報記録再生方法。
【請求項１１】
前記データブロックは、行毎に誤り訂正可能な複数の行を備えて構成され、
前記補完するステップは、
前記複数の行に記録されたデータのうち、少なくとも１以上の行のデータが誤り訂正可能で有る、或いは誤りが検出されない場合には、その行のデータから前記欠陥管理エリアの位置を示す情報を抽出するステップである、ことを特徴とする請求項７に記載の情報記録再生方法。
【請求項１２】
補完された前記欠陥管理エリアの位置を示す情報に基づいて欠陥管理エリアを参照すると共に、参照した欠陥管理エリアに記録されている欠陥管理情報が最新の欠陥管理情報であることを確認するステップをさらに備えたこと特徴とする請求項７に記載の情報記録再生方法。
【発明の詳細な説明】
【技術分野】
【０００１】
本発明は、情報記録再生装置、および情報記録再生方法に係り、特に、書換可能な光ディスク等に情報を記録、再生する情報記録再生装置、および情報記録再生方法に関する。
【背景技術】
【０００２】
従来から、情報を書換可能に記録できる光ディスク等の情報記憶媒体においては、ディスク上に発生した「記録する上での欠陥箇所」を補償するための仕組みを持っている。この発生した欠陥箇所を管理するためのエリアは、欠陥管理情報領域（Defect Management Area：以下、適宜ＤＭＡと略記する）と呼ばれている。
【０００３】
ＤＭＡは、欠陥箇所の増加に伴いオーバーライト（overwrite）される。一般的に、情報記憶媒体はオーバーライトにより特性が劣化するため、オーバーライトの許容回数が制限されている。この許容回数が比較的少ない媒体（例えば、ブルーレーザを用いる高密度光ディスク等）の場合、ＤＭＡの更新に伴うオーバーライトが問題となってくる。つまり、オーバーライトに伴い、欠陥管理情報を記録したＤＭＡ自体が欠陥となってしまう可能性がある。
【０００４】
そこで、例えば、特許文献１等では、欠陥管理情報を物理的に離れた領域に複数記憶させることで冗長性をもたせ、単独のＤＭＡに欠陥が生じた場合でも他の領域に記憶された欠陥管理情報で補うことが可能となるように構成する技術を開示している。
【特許文献１】米国特許出願公開第２００１／２６５１１号明細書
【発明の開示】
【発明が解決しようとする課題】
【０００５】
特許文献１等が開示する光ディスク等の情報記憶媒体では、一般のデータ（ユーザデータ）を通常に記憶するユーザエリアの他にスペアエリアを有しており、ユーザエリアの特定の領域に欠陥が生じた場合には、その特定の領域に記憶させようとしたユーザデータをスペアエリアに記憶させる形態としている。このデータの置き換え（交替）は、所定のデータ単位（ＥＣＣブロックと呼ばれる）で行われる。
【０００６】
置き換えられたユーザデータを再生する（読み出す）場合には、欠陥のあった交替元のアドレス情報と交替先のアドレス情報とを対応付けるための欠陥管理情報が必要となる。この欠陥管理情報が記憶される領域がＤＭＡであり、ユーザエリアやスペアエリアとは異なる領域にＤＭＡが設けられている。
【０００７】
従来のＤＶＤ−ＲＡＭや次世代高密度光ディスク、例えばＨＤ  ＤＶＤ−ＲＷ、では光ディスクの最内周側に２つ、最外周側に２つの合計４つのＤＭＡを有する構成としている。４つのＤＭＡには同一の内容の欠陥管理情報が記憶される。この結果、特定のＤＭＡにごみが付着したりキズが生じたりした場合であっても、他のＤＭＡの欠陥管理情報は有効であるため欠陥管理情報の信頼性を向上させることが可能となる。
【０００８】
また、オーバーライトの許容回数がＤＶＤ−ＲＡＭに比べて少ないＨＤ  ＤＶＤ−ＲＷでは、４つのＤＭＡの各々が、さらに複数のＤＭＡ、例えば１００個のＤＭＡを有する形態としている。ＤＭＡに対するオーバーライトの回数が許容回数を超えそうになった場合や、データの誤り率が所定の範囲を超えた場合には、そのＤＭＡの欠陥管理情報を他の新たなＤＭＡに移してＤＭＡ自体を交替させる。交替したＤＭＡに対するオーバーライトの回数が許容回数を超えそうになった場合や、データの誤り率が所定の範囲を超えた場合には、さらにこのＤＭＡを次のＤＭＡに交替させる。この交替を繰り返し、最大１００回までの交替が可能となる。
【０００９】
複数の、例えば１００個のＤＭＡがある場合、どのＤＭＡが最新の（現在使用中の）ＤＭＡであるかを認識する必要がある。最新のＤＭＡを短時間で検索するために、ＨＤ  ＤＶＤ−ＲＷ等では、ＤＭＡマネージャと呼ばれる領域をさらに設けている。
【００１０】
ＤＭＡマネージャには、最新の４つのＤＭＡの位置情報が記憶されており、この位置情報を参照することにより直ちに最新のＤＭＡの位置を知ることができる。このＤＭＡマネージャ自体もオーバーライトの回数が増えるにつれて劣化していく。このため、ＤＭＡマネージャも物理的に離れた位置に複数設けられており、ＤＭＡマネージャに対するオーバーライトの回数が許容回数を超えそうになった場合や、データの誤り率が所定の範囲を超えた場合には、ＤＭＡマネージャの交替を行っている。
【００１１】
また、ＤＭＡマネージャに記憶されるＤＭＡの位置情報等は同一内容が多重化されて記憶されると共に、一般のユーザデータと同様に所定のデータ単位（このデータ単位をＥＣＣブロックと呼んでいる）で誤り訂正符号によって符号化されている。この結果、所定の範囲以内の誤りであれば誤り訂正符号によってＥＣＣブロック単位で訂正することができる。
【００１２】
しかしながら、媒体上の欠陥等の影響で訂正可能な誤り率を超えて誤りが発生した場合にはＥＣＣブロック単位での誤り訂正が不能となりＤＭＡマネージャの情報を読み出すことができなくなる。この結果、ＤＭＡマネージャから最新のＤＭＡの位置情報を読み取ってＤＭＡを参照する方法（この方法をテーブルルックアップ法という）が採れなくなり、例えば、１００個のＤＭＡの先頭から順次サーチして最新のＤＭＡを見つけ出す方法（この方法をインクリメンタル法という）を採らざるをえなくなる。このため、最新のＤＭＡにアクセスするまでの時間のロスが非常に大きなものとなってしまう。
【００１３】
本発明は、上記事情に鑑みてなされたものであり、ＥＣＣブロック単位でのエラーがその誤り訂正能力を超えて発生した場合であってもＤＭＡマネージャに記憶されている最新のＤＭＡの位置情報を読み出すことを可能とし、短時間でＤＭＡにアクセスすることができる情報記録再生装置、および情報記録再生方法を提供することを目的とする。
【課題を解決するための手段】
【００１４】
本発明に係る情報記録再生装置は、上記課題を解決するため、請求項１に記載したように、ユーザデータを情報記憶媒体のユーザエリアに記録し再生する手段と、前記ユーザエリア内の欠陥領域に記憶できなかったユーザデータを前記情報記憶媒体のスペアエリアに交替して記録し再生する手段と、前記交替して記憶されたユーザデータを再生するための欠陥管理情報を前記情報記憶媒体の複数の欠陥管理エリアに記録し再生する手段と、前記欠陥管理エリアの位置を示す情報を多重化して所定のデータブロックを形成し、前記データブロックを誤り訂正符号によって符号化した情報を前記情報記憶媒体に記録すると共に、前記誤り訂正符号を用いて復号化し再生する手段と、前記符号化して記録した情報が前記データブロックの単位で誤り訂正ができない場合であっても、前記データブロックのデータ単位よりも小さなデータ単位で誤り訂正が可能な場合又は誤りが検出されなかった場合には、誤り訂正後の又は誤りが検出されなかった前記小さなデータ単位のデータに基づいて前記欠陥管理エリアの位置を示す情報を補完する手段と、を備えたことを特徴とする。
【００１５】
また、本発明に係る情報記録再生方法は、上記課題を解決するため、請求項７に記載したように、ユーザデータを情報記憶媒体のユーザエリアに記録し再生するステップと、前記ユーザエリア内の欠陥領域に記憶できなかったユーザデータを前記情報記憶媒体のスペアエリアに交替して記録し再生するステップと、前記交替して記憶されたユーザデータを再生するための欠陥管理情報を前記情報記憶媒体の複数の欠陥管理エリアに記録し再生するステップと、前記欠陥管理エリアの位置を示す情報を多重化して所定のデータブロックを形成し、前記データブロックを誤り訂正符号によって符号化した情報を前記情報記憶媒体に記録すると共に、前記誤り訂正符号を用いて復号化し再生するステップと、前記符号化して記録した情報が前記データブロックの単位で誤り訂正ができない場合であっても、前記データブロックのデータ単位よりも小さなデータ単位で誤り訂正が可能な場合又は誤りが検出されなかった場合には、誤り訂正後の又は誤りが検出されなかった前記小さなデータ単位のデータに基づいて前記欠陥管理エリアの位置を示す情報を補完するステップと、を備えたことを特徴とする。
【発明の効果】
【００１６】
本発明に係る情報記録再生装置、および情報記録再生方法によれば、ＥＣＣブロック単位でのエラーがその誤り訂正能力を超えて発生した場合であってもＤＭＡマネージャに記憶されている最新のＤＭＡの位置情報を読み出すことを可能とし、短時間でＤＭＡにアクセスすることができる。
【発明を実施するための最良の形態】
【００１７】
本発明に係る情報記録再生装置、および情報記録再生方法の実施形態について添付図面を参照して説明する。
【００１８】
（１）情報記憶媒体のデータ構造
最初に、本発明の実施形態に係る情報記録再生装置１００が記録し、再生する情報記憶媒体１のデータ構造について説明する。
【００１９】
図１は、書換え可能な情報記憶媒体１の代表例としての次世代型ＤＶＤ、ＨＤ  ＤＶＤ−ＲＷの物理的データ配置を模式的に示す図である。
【００２０】
情報記憶媒体１の記録面の大部分はユーザエリア（User  Area）で占められており、その一部がスペアエリア（Spare  Area）として用いられている。ユーザエリアは、映像・音声データや各種情報データ等のユーザデータが記録される領域である。スペアエリアは、ユーザエリアにデータが正しく書き込めなかった場合に、その書き込めなかった領域（欠陥領域）の代替として用いられる領域であり、欠陥領域に書き込もうとしたデータが交替してスペアエリアに記録されることになる。
【００２１】
ユーザエリア（その一部にスペアエリアを含む）の外周側にはデータリードアウトエリア（Data  Lead-out  Area）と呼ばれるリング状の領域が設けられており、このデータリードアウトエリアに、ＤＭＡ（Defect  Management  Area：欠陥管理エリア）とＤＭＡマネージャが記録される領域とが含まれている。
【００２２】
また、ユーザエリアの内周側にはデータリードインエリア（Data  Lead-in  Area）と呼ばれるリング状の領域が設けられており、このリードインエリアにも、ＤＭＡ（Defect  Management  Area：欠陥管理エリア）とＤＭＡマネージャが記録される領域とが含まれている。
【００２３】
図２（ａ）は、情報記憶媒体１のデータ構造を示す図である。情報記憶媒体１は前述したように、その内周側にデータリードインエリアを、また外周側にデータリードアウトエリアを有している。データリードインエリアには、ＤＭＡ１およびＤＭＡ２と、ＤＭＡマネージャ１とが各々物理的に離れた領域に設けられている。同様に、データリードアウトエリアには、ＤＭＡ３およびＤＭＡ４と、ＤＭＡマネージャ２とが各々物理的に離れた領域に設けられている。
【００２４】
さらに、ＤＭＡ１は、ＤＭＡ１−１ないしＤＭＡ１−１００の１００個のＤＭＡの単位を有しており、１００個で１つのセットを構成している。ＤＭＡ２、ＤＭＡ３、およびＤＭＡ４も同様に、ＤＭＡ２−１ないしＤＭＡ２−１００、ＤＭＡ３−１ないしＤＭＡ３−１００、およびＤＭＡ４−１ないしＤＭＡ４−１００と、それぞれ１００個のＤＭＡからなるセットを構成している。
【００２５】
各ＤＭＡの単位は、ＤＤＳ／ＰＤＬと呼ばれる欠陥管理情報と、ＳＤＬと呼ばれる欠陥管理情報とが記録される他、予備領域（ＲＳＶ）を有している。
【００２６】
ＤＭＡに記録される欠陥管理情報は、データエリアに欠陥が生じてユーザデータが正常に書き込めなかった場合に、書き込めなかった領域（欠陥領域）のアドレス（旧アドレス）と、書き込めなかったデータを代替して記録するスペア領域のアドレス（新アドレス）を対応付ける情報である。ユーザデータの再生時にＤＭＡの欠陥管理情報を参照することで、データエリアに欠陥が生じて記録できなかった場合でも、代替して記録されたスペア領域のユーザデータを読み出すことでユーザデータの再生を保証することが可能となる。
【００２７】
ＤＭＡ１ないしＤＭＡ４には同一の欠陥管理情報が記録される。物理的に離れた４つの領域に同一の欠陥管理情報を記録することで、１つのＤＭＡが傷や指紋等によって欠損が生じ読み取り不能となっても、他のＤＭＡから欠陥管理情報が読み取ることで耐障害性を高めている。
【００２８】
データエリアに新たな欠陥が生じると、その欠陥管理情報をＤＭＡに書き加えることになるため、ＤＭＡの欠陥管理情報は欠陥が生じる毎に更新（オーバーライト）される。書換え可能な情報記憶媒体１はオーバーライトによって徐々に劣化していく。即ち、ＤＭＡ自体も劣化していく。このため、例えばＨＤ  ＤＶＤ−ＲＷでは、交替可能なＤＭＡを複数（具体的には１００個）具備する形態としている。１つのＤＭＡに対するオーバーライトの回数が所定の回数を超えた場合や、データが読み出し不能の可能性が高くなった（シンボル誤り率が所定値以上となった）場合等には、欠陥管理情報を次のＤＭＡに書き写して交替させ、順次これを繰り返すことで、最大１００の交替まで可能としている。
【００２９】
図２（ｂ）は、ＤＭＡの交替状況を説明する図である。
【００３０】
ＤＭＡは、それぞれ各セットの先頭（ＤＭＡ１−１、ＤＭＡ２−１、ＤＭＡ３−１、およびＤＭＡ４−１）から使用され、その内１つでも読み取れなくなった場合や交替が必要となった場合には、ＤＭＡ１−１ないしＤＭＡ４−１が揃って次のＤＭＡ（ＤＭＡ１−２、ＤＭＡ２−２、ＤＭＡ３−２、およびＤＭＡ４−２）に交替する。４つのＤＭＡを同時に交替させる理由は、システム障害が発生した場合等のリカバリ処理を容易にするためである。
【００３１】
次にＤＭＡマネージャについて説明する。
【００３２】
図３（ａ）は、ＤＭＡマネージャ（ＤＭＡ  Manager）のデータ構造を示す図である。ＤＭＡマネージャには、最新のＤＭＡが現在どの位置にあるのかを指し示す情報（欠陥管理エリアの位置を示す情報）が記録されている。最新のＤＭＡをサーチする際に、先頭から１つずつＤＭＡをサーチする方法（インクリメンタル法という）ではタイムロスが生じる。このため、例えばＨＤ  ＤＶＤ−ＲＷでは、ＤＭＡマネージャが設けられており、ＤＭＡマネージャの情報を参照することで直ちに最新のＤＭＡにアクセスすることができるようになっている（この方法をテーブルルックアップ法という）。
【００３３】
ＤＭＡマネージャは、ＤＭＡと同様に傷や指紋等による欠損に対して耐障害性を高めるため、物理的に離れた２つの領域（データリードインエリアとデータリードアウトエリア）にそれぞれＤＭＡマネージャ１とＤＭＡマネージャ２とを設け、同一の情報を記録している。
【００３４】
また、ＤＭＡマネージャ自体にもオーバーライトによる劣化が生じるため、ＤＭＡマネージャ１およびＤＭＡマネージャ２は、それぞれ、ＤＭＡマネージャ１−１ないしＤＭＡマネージャ１−１０、およびＤＭＡマネージャ２−１ないしＤＭＡマネージャ２−１０の各１０個の交替ＤＭＡマネージャを有している。
【００３５】
図３（ｂ）は、ＤＭＡマネージャの交替の様子を示す図である。ＤＭＡマネージャも先頭のＤＭＡマネージャ（ＤＭＡマネージャ１−１、およびＤＭＡマネージャ２−１）から使用され、１つのＤＭＡマネージャが読み取れなくなった場合等には、２つのＤＭＡマネージャが揃って次のＤＭＡマネージャ（ＤＭＡマネージャ１−２、およびＤＭＡマネージャ２−２）に交替する。なお、ＤＭＡマネージャの交替数は最大でも１０であり、ＤＭＡに比べて数が少ないため、最新のＤＭＡマネージャはインクリメンタル法でサーチするものとしている。
【００３６】
ところで、最新のＤＭＡマネージャ１およびＤＭＡマネージャ２が双方読み取れなくなった場合は、テーブルルックアップ法を用いてＤＭＡをサーチすることができなくなるため、インクリメンタル法に頼らざるを得なくなり、ＤＭＡのサーチにタイムロスを生じることになる。本発明の目的は、最新のＤＭＡマネージャ１およびＤＭＡマネージャ２が双方読み取れなくなった場合であっても、そこに記録されている情報を復活（補完）することのできるメカニズムを提供することにある。このメカニズムを説明するため、ＤＭＡマネージャのさらに詳細なデータ構造について説明する。
【００３７】
１つのＤＭＡマネージャは、図３（ａ）に示したように、ＥＣＣ（Error  Correction  Code）ブロックと呼ばれるデータブロックで構成されている。
【００３８】
従来型のＤＶＤやＨＤ  ＤＶＤ−ＲＷでは、ユーザデータを記録する際にエラー訂正符号（ＥＣＣ（Error  Correction  Code）が付加される。このエラー訂正符号は、所定のデータサイズに対して付加されるもので、そのデータサイズの単位をＥＣＣブロックと呼んでいる。データ記録時においては、ＥＣＣブロック単位でデータを記録し、記録したデータをベリファイ（確認のための読み出し）したときにエラー訂正符号によってＥＣＣブロック単位で訂正できなかった場合（訂正可能なエラー数を超えてエラーが発生した場合）に、正常な記録ができなかったということになる。また、データ再生時においては、読み出したデータをエラー訂正符号によってＥＣＣブロック単位で訂正できなかった場合（訂正可能なエラー数を超えてエラーが発生した場合）にデータが読み出せなかったということになる。
【００３９】
ＤＭＡマネージャに対しても、通常のユーザデータと同様にＥＣＣブロック単位でデータの記録、再生が行われる。
【００４０】
ＥＣＣブロックのデータサイズは、ＨＤ  ＤＶＤ−ＲＷでは６４Ｋbyteと規定されている。ＥＣＣブロックは、「セクタ」と呼ばれる単位で分割されており、セクタ単位のデータサイズは２Ｋbyteと規定されている。ＨＤ  ＤＶＤ−ＲＷは３２セクタから構成されており、全体として６４ＫByte（３２セクタ×２ＫByte）となる。
【００４１】
ちなみに、従来型のＤＶＤでは、セクタのデータサイズはＨＤ  ＤＶＤ−ＲＷと同じ２ＫByteであるが、ＥＣＣブロックを構成するセクタ数がＨＤ  ＤＶＤ−ＲＷの半分の１６であるため、ＥＣＣブロックのデータサイズは３２ＫByteとなっている。
【００４２】
１つのＤＭＡマネージャは、ＤＭＡマネージャユニット（ＤＭＡ  Manager  unit）と呼ばれるデータ単位で多重化されている。ここで、「多重化されている」とは、同一のデータを持つＤＭＡマネージャユニットを複数有していることをいう。ＤＭＡマネージャユニットのデータサイズは６４Byteである。１セクタのデータサイズは２ＫByteであるから、１セクタ当たり、３２個のＤＭＡマネージャユニットが多重化されていることになる。また、ＨＤ  ＤＶＤ−ＲＷではＥＣＣブロック当たり３２セクタを備えているから、結局、ＥＣＣブロック当たり、１０２４（３２×３２）のＤＭＡマネージャユニットが多重化されていることになる。
【００４３】
図４は、１つのＤＭＡマネージャユニットのデータ構造を示す図である。ＤＭＡマネージャユニットは６４Byteのデータで構成されるが、図４はその内訳を示したものである。
【００４４】
先頭の２Byteが拡張子（Identifier）であり、次に６Byteが予備領域（Reserved）である。続いて４Byteが、ＤＭＡ１の現在のアドレス情報である、「First  PSN（Phisical  Sector  Number）of  current  ＤＭＡ１」となる。その後、ＤＭＡ２、ＤＭＡ３、およびＤＭＡ４の現在のアドレス情報が各４Byteずつ続き、最後に４０Byteの予備領域を有している。このように、１つのＤＭＡマネージャユニットに、ＤＭＡ１ないしＤＭＡ４の現在の（最新の）アドレス情報が記録されており、この情報を参照することによって（テーブルルックアップ法）直ちに最新のＤＭＡをアクセスすることができる。
【００４５】
図５は、情報記憶媒体１（ＨＤ  ＤＶＤ−ＲＷ）のＥＣＣブロックおよびセクタのデータ構造を示す図である。
【００４６】
図４（ｂ）がセクタのデータ構造を示す図であり、１セクタは先頭から、４Byteの「Data  ＩＤ」（セクタ単位の識別情報）、２Byteの「IED（ID  Error  Detection）」、６Byteの予備領域（RSV）と続く。その後、２０４８Byte（２ＫByte）のメインデータ（Main  data）が、Ｄ０からＤ２０４７まで続き、最後に４ByteのＥＤＣ（Error  Detection  Code）を備えて構成されている。
【００４７】
ＥＤＣ（エラー検出符号）は、セクタの先頭からメインデータの最後（Ｄ２０４７）までの２０６０Byteのデータに対してエラー検出を行う（エラー訂正までは行わない）コードであり、ＥＣＣブロック単位でエラー訂正不能な場合（後述）であっても、ＥＤＣによってセクタ単位のデータが有効か否か（エラー検出されるか否か）の判定が可能となる。
【００４８】
なお、メインデータ領域は、スクランブルがかけられているため、スクランブルを解除（デスクランブル）した後、ＥＤＣによるエラー検出を行う必要がある。
【００４９】
セクタは、図５（ｂ）に示したように、左右各６行、合計１２行の「行（ｒｏｗ）」に分割されており、１つの「行」は、１７２Byte単位で構成されている。
【００５０】
ＤＭＡマネージャの情報をセクタに記録する場合には、６４ByteのＤＭＡマネージャユニットのデータ（図４参照）がメインデータ（Ｄ０からＤ２０４７の２ＫByte）の領域に多重化されて（３２多重化）記録されることになる。
【００５１】
図５（ａ）は、ＥＣＣブロックのデータ構造を示す図である。前述したように、ＨＤ  ＤＶＤ−ＲＷでは、１つのＥＣＣブロックは番号０から番号３１までの３２のセクタを含んで構成されている。
【００５２】
図５（ａ）の最上段には、「０−Ｌ」と「０−Ｒ」と記された２つの領域があるが、これは、図５（ｂ）に示した１つのセクタのデータ（番号０のセクタのデータ）を６行ずつまとめて左右に分割したデータに対応するものである。２段目の領域には、番号１のセクタのデータを６行ずつまとめて左右に分割した後、左右を入れ替えて「１−Ｒ」と「１−Ｌ」を配置している。以下同様に、セクタ毎に左右の配置を入れ替えながら、番号３１のセクタ（「３１−Ｒ」、「３１−Ｌ」）まで配置している。
【００５３】
また、ＥＣＣブロックでは、誤り訂正を行うためのパリティ符合を上記３２セクタのデータに付加している。このパリティ符号は、１７２Byteで構成される「行」毎に付加される１０ByteのＰＩ符号（インナーパリティ符号）と、縦方向の１９２行（６行×３２）に対して付加される１６行のＰＯ符号（アウターパリティ符号）とからなっている。ＰＩ符号は行方向のエラー訂正を可能とするものであり、ＰＯ符号は列方向のエラー訂正を可能とするものである。
【００５４】
これらのパリティ符号を含めたＥＣＣブロックの配列は、横方向に（１７２＋１０）Byte×２、即ち１８２Byte×２列と、縦方向に６行×３２＋１６行、即ち２０８行とから構成されている。
【００５５】
ＤＭＡマネージャの情報をＥＣＣブロックに記録する場合には、同じ内容のセクタデータが３２セクタ分多重化されて記憶される。また、１セクタには、ＤＭＡマネージャユニットのデータが３２個多重化されているから、結局１ＥＣＣブロックあたり、１０２４個のＤＭＡマネージャユニットが多重化されて記録されることになる。
【００５６】
（２）ＤＭＡマネージャの読み取りおよび補完
上記のようなデータ構造により、ＤＭＡマネージャの情報はＤＭＡマネージャユニットが多重化されて１つのＥＣＣブロック単位として記録される。次に、ＥＣＣブロック単位で記録されたＤＭＡマネージャの情報を読み取る手順、および必要に応じて補完する手順について説明する。
【００５７】
図６は、ＤＭＡマネージャの読み取り手順、および必要に応じて補完する手順を示す基本的なフローチャートである。
【００５８】
まず、ステップＳＴ１は、ＥＣＣブロック単位でＤＭＡマネージャを読み出す手順である。ＥＣＣブロックは、前述したように誤り訂正符号（ＰＩ符号、ＰＯ符号）を有しており、所定の範囲内のエラー数であれば訂正することができる。従って、訂正可能なＤＭＡマネージャがある場合（ＤＭＡマネージャ１、ＤＭＡマネージャ２の何れかが訂正可能な場合）（ステップＳＴ２のNo）、訂正したＤＭＡマネージャ（エラーが全く発生していない場合はもちろん訂正不要）からＤＭＡマネージャユニットを抽出し（ステップＳＴ９）、最新のＤＭＡのアドレス情報を得ることができる。
【００５９】
図７は、ステップＳＴ１の詳細を示すフローチャートである。まず、現在のＤＭＡマネージャ１をサーチする（ステップＳＴ１０１）。このサーチは前述したように、インクリメンタル法で行う。現在のＤＭＡマネージャ１が見つかると、そのＤＭＡマネージャ１をＥＣＣブロック単位でＰＩ符号、およびＰＯ符号による誤り訂正を行う（ステップＳＴ１０２）。次に、ＥＣＣブロック単位で誤り訂正が可能であったか否かを判定し、ＥＣＣブロック単位で誤り訂正ができた場合には、各セクタのメインデータのスクランブルを解除し、ＥＤＣによる誤り検出の有無を判定する（ステップＳＴ１０３、１０４）。
【００６０】
ＤＭＡマネージャ１が、ＥＣＣブロック単位で誤り訂正が可能であり、かつＥＤＣによる誤り検出が「無し」、と判定された場合には、ＤＭＡマネージャ１に多重化されているＤＭＡマネージャユニットのいずれかのアドレス情報を使用することが可能であり、「ＥＣＣブロック単位で訂正可能なＤＭＡマネージャ有り」と判断される。
【００６１】
ＤＭＡマネージャ１が、ＥＣＣブロック単位で誤り訂正不能である（エラー数が多くＰＩ符号、ＰＯ符号を用いても誤り訂正ができない）、或いはＥＤＣによる誤り検出が「有り」の場合には、最新のＤＭＡマネージャ２をサーチする（ステップＳＴ１０５）。ＤＭＡマネージャ１と同様に、ＥＣＣブロック単位でＰＩ符号、およびＰＯ符号による誤り訂正を行い（ステップＳＴ１０６）、次に、ＥＣＣブロック単位で誤り訂正が可能であったか否かを判定し、ＥＣＣブロック単位で誤り訂正ができた場合には、各セクタのメインデータのスクランブルを解除し、ＥＤＣによる誤り検出の有無を判定する（ステップＳＴ１０７、１０８）。ＥＣＣブロック単位で誤り訂正が可能であり、かつＥＤＣによる誤り検出が「無し」、と判定された場合には、「ＥＣＣブロック単位で訂正可能なＤＭＡマネージャ有り」と判断される。逆に、ＤＭＡマネージャ２が、ＥＣＣブロック単位で誤り訂正不能である、或いはＥＤＣによる誤り検出が「有り」の場合には、ＤＭＡマネージャ１およびＤＭＡマネージャ２の双方がＥＣＣブロック単位では誤り訂正不能ということになり、「ＥＣＣブロック単位で訂正可能なＤＭＡマネージャ無し」と判断される。
【００６２】
「ＥＣＣブロック単位で訂正可能なＤＭＡマネージャ有り」と判断され、最新のＤＭＡのアドレス情報を得た場合、そのＤＭＡが最新のものか否かの妥当性を確認する手順（図６のステップＳＴ１１）をさらに行う形態としてもよい。これにより、得られたＤＭＡのアドレス情報の信頼性を高めることができる。
【００６３】
図６（ｂ）は、得られた最新ＤＭＡのアドレス情報の妥当性を確認する手順を示したフローチャートである。ステップ１２において、得られた最新ＤＭＡのアドレス情報の妥当性を確認している。この確認方法は、幾つかの方法が考えら得る。例えば、ＤＭＡ自体にカウンタを持たせ、ＤＭＡが交替される毎にこのカウンタのカウント値をアップさせる。そして、ＤＭＡマネージャが示すＤＭＡのカウント値とその前後のＤＭＡのカウント値を比較することによってＤＭＡマネージャの示すＤＭＡが最新のものか否かを判定する形態でもよい。また、使用前のＤＭＡ、および欠陥となって遷移した使用済みのＤＭＡのデータを、実動作上では取り得ない特定の値、例えばｆｆｈ（総て「１」）で埋めておくことにより、最新の（現在の）ＤＭＡと差別化する形態でもよい。
【００６４】
ＤＭＡマネージャが指し示すＤＭＡが最新のものであると判定された場合には、そのＤＭＡを使用する（ステップＳＴ１４）。一方、ＤＭＡマネージャが指し示すＤＭＡが最新のものでは無いと判定された場合には、ＤＭＡマネージャによるテーブルルックアップ法を断念してインクリメンタル法で最新のＤＭＡマネージャをサーチする（ステップＳＴ１５）。
【００６５】
図６のステップＳＴ２において、ＥＣＣブロック単位で訂正可能なＤＭＡマネージャが無いと判定されると、ステップＳＴ３以降の補完処理に進む。
【００６６】
ステップＳＴ３以降の補完処理では、ＤＭＡマネージャに記録されているデータは、「ＤＭＡマネージャユニット単位で多重化されて記録されている」という特徴を利用して、ＥＣＣブロック単位では訂正不能であったデータから、「生きているＤＭＡマネージャユニット」を抽出する、或いは「ＤＭＡマネージャユニットのデータを推定する」ことにより、ＤＭＡマネージャを補完する処理を行うものである。
【００６７】
大きくは、セクタ単位でエラー判定し補完する手順（ステップＳＴ３、ステップＳＴ４）と、行単位でエラー判定し補完する手順（ステップＳＴ５、ステップＳＴ６）と、複数のＤＭＡマネージャユニットから多数決的手法によって正しいデータを推定する手順（ステップＳＴ７）とに分類される。
【００６８】
図８は、セクタ単位でエラー判定し補完する手順の詳細手順を示すフローチャートである。
【００６９】
ステップＳＴ３０１およびステップＳＴ３０２では、ＤＭＡマネージャ１の各セクタに対して、エラー判定を行っている。ＥＣＣブロック単位では訂正不能であっても、３２のセクタのうち、「生きているセクタ」があればそのセクタを探して「生きているセクタ」からＤＭＡマネージャユニットを抽出しようとするものである。図５に示したように、各セクタは１２の「行」を有し、行毎にＰＩ符号が付加されている。このため、特定の行のデータに誤りが少ない場合にはその行に対して「行毎の誤り訂正」ができる。また、セクタにはＥＤＣが付加されており、ＥＤＣによって「セクタ毎の誤り検出」ができる。
【００７０】
従って、セクタ内の１２行総てに対して「行毎の誤り訂正」を行い、行毎の誤り訂正が可能な場合、さらにスクランブル解除後にＥＤＣにより「セクタ毎の誤り検出」が無いと判定されればそのセクタは「生きているセクタ」であると判定することができる。
【００７１】
この手順を３２のセクタに対して行い、ＤＭＡマネージャ１の中から「生きているセクタ」を抽出する。
【００７２】
ＤＭＡマネージャ１の中に「生きているセクタ」が１つもない場合（ステップＳＴ３０２のＮｏ）には、ＤＭＡマネージャ２に対して同様の処理を行い、ＤＭＡマネージャ２の中から「生きているセクタ」を抽出する。
【００７３】
ＤＭＡマネージャ１或いはＤＭＡマネージャ２のいずれかから「生きているセクタ」が抽出されれば、「ＰＩＯＫ、かつＥＤＣ  ＯＫなセクタ有り」と判定される。また、逆に、ＤＭＡマネージャ１、およびＤＭＡマネージャ２の双方から「生きているセクタ」が抽出されなければ、「ＰＩＯＫ、かつＥＤＣ  ＯＫなセクタ無し」と判定される。
【００７４】
「生きているセクタ」からＤＭＡマネージャユニットを抽出し、そこに記録されているＤＭＡのアドレス情報を用いて最新のＤＭＡに直ちにアクセスすることができる（テーブルルックアップ法）。
【００７５】
なお、「生きているセクタ」には複数のＤＭＡマネージャユニットが存在する。「生きているセクタ」が複数抽出された場合には、さらに多くの複数のＤＭＡマネージャユニットが存在することになる。この場合、ＤＭＡマネージャユニット間でデータの一致を判定し（コンペアし）、一致すれば、「ＰＩＯＫ、かつＥＤＣ  ＯＫなセクタ有り」と判定し、不一致の場合には「ＰＩＯＫ、かつＥＤＣ  ＯＫなセクタ無し」と判定する形態でも良い。この一致判定によって信頼性が、より向上する。また、抽出されたＤＭＡマネージャユニットの数と「データが一致したＤＭＡマネージャユニット」の数の比率に適宜の閾値を設けて判定する形態としてもよい。
【００７６】
「ＰＩＯＫ、かつＥＤＣ  ＯＫなセクタ無し」と判定された場合には（図６のステップＳＴ４のｙｅｓ）、行単位のエラー訂正手順に進む。
【００７７】
図９は、行単位でエラー判定し補完する手順の詳細手順を示すフローチャートである。
【００７８】
ステップＳＴ５０１およびステップＳＴ５０２では、ＤＭＡマネージャ１の各行に対して、エラー判定を行っている。セクタ単位で誤りが検出された場合であっても、セクタ内のいずれかの行に、「生きている行」があればその行を探して「生きている行」からＤＭＡマネージャユニットを抽出しようとするものである。図５に示したように、各セクタは１２の「行」を有し、行毎にＰＩ符号が付加されている。このため、特定の行のデータに誤りが少ない場合にはその行に対して「行毎の誤り訂正」ができる。
【００７９】
従って、セクタ内の１２行総てに対して「行毎の誤り訂正」を行い、行毎の誤り訂正が可能な場合、誤り訂正ができた行を「生きている行」であると判定することができる。
【００８０】
この手順をＥＣＣブロックに含まれる１９２行に対して行い、ＤＭＡマネージャ１の中から「生きている行」を抽出する。
【００８１】
ＤＭＡマネージャ１の中に「生きている行」が１つもない場合（ステップＳＴ５０２のＮｏ）には、ＤＭＡマネージャ２に対して同様の処理を行い、ＤＭＡマネージャ２の中から「生きている行」を抽出する。
【００８２】
「生きている行」からスクランブルを解除した後ＤＭＡマネージャユニットを抽出し、そこに記録されているＤＭＡのアドレス情報を用いて最新のＤＭＡに直ちにアクセスすることができる（テーブルルックアップ法）。
【００８３】
ＤＭＡマネージャ１或いはＤＭＡマネージャ２のいずれかから「生きている行」が抽出されれば、「ＰＩ  ＯＫな行有り」と判定される。また、逆に、ＤＭＡマネージャ１、およびＤＭＡマネージャ２の双方から「生きている行」が抽出されなければ、「ＰＩ  ＯＫな行無し」と判定される。
【００８４】
なお、１つの行は１７２Byteであり、ＤＭＡマネージャユニットは６４Byteである。このため、「生きている行」には２つのＤＭＡマネージャユニットが存在する場合があるが、ＤＭＡマネージャユニットが前後の行に跨って存在する場合もある。この場合、跨って記録された行の両方が「生きている行」であれば、跨ったＤＭＡマネージャユニットを正しい情報として抽出することができる。
【００８５】
なお、複数のＤＭＡマネージャユニットが抽出された場合には、ＤＭＡマネージャユニット間でデータの一致を判定し（コンペアし）、一致すれば、「ＰＩ  ＯＫな行有り」と判定し、不一致の場合には「ＰＩ  ＯＫな行無し」と判定する形態でも良い。この一致判定によって信頼性が、より向上する。また、「抽出されたＤＭＡマネージャユニット」の数と「データが一致したＤＭＡマネージャユニット」の数の比率に適宜の閾値を設けて判定する形態としてもよい。
【００８６】
「ＰＩ  ＯＫな行無し」と判定された場合には（図６のステップＳＴ６のｙｅｓ）、複数のＤＭＡマネージャユニットから多数決的手法によって正しいデータを推定する手順（ステップＳＴ７）に進む。
【００８７】
図１０は、複数のＤＭＡマネージャユニットから多数決的手法によって正しいデータを推定する詳細手順を示すフローチャートであり、図１０（ａ）は、ビット単位に多数決的手法を適用する場合、図１０（ｂ）は、バイト単位に多数決的手法を適用する場合のフローチャートを示している。
【００８８】
図１０（ａ）のステップＳＴ７０１では、各セクタ毎にメインデータのスクランブルを解除しＤＭＡマネージャユニットを抽出する。抽出したＤＭＡマネージャユニットには、エラーが含まれる可能性があるが、ＤＭＡマネージャユニット自体の数は多い（全部で１０２４個のＤＭＡマネージャユニットが存在する）。
【００８９】
そこで、ステップＳＴ７０２ないしステップＳＴ７０４に示す多数決的手法でビット位置毎にビット値を決めて（推定して）いく。具体的には、特定のビット位置におけるビット値（「０」又「１」）をカウントし、多い方のビット値の数とＤＭＡマネージャユニットの総数との比が所定の閾値、例えば９０％、よりも高い場合には、多い方のビット値をそのビット位置におけるビット値として設定する。閾値を超えなかった場合は、そのビット位置のビット値は不定値とする。
【００９０】
総てのビット位置においてビット値が設定され不定値が全くなかった場合には、設定した各ビット値からなるデータを正しいＤＭＡマネージャユニットであると推定する。
【００９１】
このようにして推定されたＤＭＡマネージャユニットから最新のＤＭＡのアドレスを参照し、ＤＭＡにアクセスする。
【００９２】
図１０（ｂ）は、バイト単位で多数決的手法を適用する場合のフローチャートである。バイト単位で多数決的手法では、特定のバイト位置(例えばＤＭＡ１の位置を示すＦｉｒｓｔ ＰＳＮ ｏｆ ｃｕｒｒｅｎｔ ＤＭＡ１の４ｂｙｔｅｓをひとくくりにして同じ値となったもので多数決を取っていく。つまりＦｉｒｓｔ ＰＳＮ ｏｆ ｃｕｒｒｅｎｔ ＤＭＡ１の値として一番多く取った値をＤＭＡ１のアドレスとして採用することが狙いである。ＤＭＡマネージャユニットの内部をさらにＦｉｒｓｔ ＰＳＮ ｏｆ ｃｕｒｒｅｎｔ ＤＭＡ１で細分化し抽出する意味合いを持っている)におけるバイト値（０から２５５）を１０２４のＤＭＡマネージャユニット間で比較し、最頻のバイト値の数とＤＭＡマネージャユニットの総数との比が所定の閾値、例えば９０％、よりも高い場合には、最頻のバイト値を、そのバイト位置におけるバイト値として設定する。閾値を超えなかった場合は、そのバイト位置のバイト値は不定値とする。
【００９３】
総てのバイト位置においてバイト値が設定され不定値が全くなかった場合には、設定した各バイト値からなるデータを正しいＤＭＡマネージャユニットであると推定する。
【００９４】
このようにして推定されたＤＭＡマネージャユニットから最新のＤＭＡのアドレスを参照し、ＤＭＡにアクセスする。
【００９５】
上述したように、ＥＣＣ単位、セクタ単位、行単位、多数決のどれも、マネージャ１からマネージャ２という判定ステップで説明されているが、マネージャ２からマネージャ１というステップを取ってもよい。また、まずマネージャ１でＥＣＣ単位、セクタ単位、行単位でのＤＭＡマネージャユニットの抽出を行い、その後にマネージャ２でのＥＣＣ単位、セクタ単位、行単位の抽出ステップに進み、最後に多数決を採用するという手順も考えられる。
【００９６】
（３）情報処理装置１のシステム構成
図１１は、本発明の実施形態に係る情報記録再生装置１００のシステム構成例を示す図である。
【００９７】
情報記録再生装置１００は、変調回路２、レーザ制御回路３、レーザ４、コリメートレンズ５、偏光ビームスプリッタ（以下ＰＢＳ）６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、トラッキング制御回路１７、主制御部２０を備えている。
【００９８】
主制御部２０は、ドライブ部を制御するものである。ドライブ部は、変調回路２、レーザ制御回路３、レーザ４、コリメートレンズ５、ＰＢＳ６、４分の１波長板７、対物レンズ８、集光レンズ９、光検出器１０、信号処理回路１１、復調回路１２、フォーカスエラー信号生成回路１３、トラッキングエラー信号生成回路１４、フォーカス制御回路１６、及びトラッキング制御回路１７を含むものである。
【００９９】
まず、この情報記録再生装置１００によるデータの記録について説明する。データの記録は、主制御部２０により制御される。記録データ（データシンボル）は、変調回路２により所定のチャネルビット系列に変調される。記録データに対応したチャネルビット系列は、レーザ制御回路３によりレーザ駆動波形に変換される。レーザ制御回路３は、レーザ４をパルス駆動し、所望のビット系列に対応したデータを情報記憶媒体１上に記録する。レーザ４から放射された記録用の光ビームは、コリメートレンズ５で平行光となり、ＰＢＳ６に入射し、透過する。ＰＢＳ６を透過したビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。
【０１００】
続いて、この情報記録再生装置によるデータの再生について説明する。データの再生は、主制御部２０により制御される。主制御部２０からのデータ再生指示に基づき、レーザ４は再生用の光ビームを放射する。レーザ４から放射された再生用の光ビームは、コリメートレンズ５で平行光となり、ＰＢＳ６に入射し、透過する。ＰＢＳ６を透過した光ビームは４分の１波長板７を透過し、対物レンズ８により媒体１の情報記録面に集光される。集光されたビームは、フォーカス制御回路１６によるフォーカス制御及びトラッキング制御回路１７によるトラッキング制御により、記録面上に最良の微小スポットが得られる状態で維持される。このとき、媒体１上に照射された再生用の光ビームは、情報記録面内の反射膜あるいは反射性記録膜により反射される。反射光は対物レンズ８を逆方向に透過し、再度平行光となる。反射光は４分の１波長板７を透過し、入射光に対して垂直な偏光を持ち、ＰＢＳ６では反射される。ＰＢＳ６で反射されたビームは集光レンズ９により収束光となり、光検出器１０に入射される。光検出器１０は、例えば、４分割のフォトディテクタから構成されている。光検出器１０に入射した光束は光電変換されて電気信号となり増幅される。増幅された信号は信号処理回路１１にて等化され２値化され、復調回路１２に送られる。復調回路１２では所定の変調方式に対応した復調動作を施されて、再生データが出力される。
【０１０１】
また、光検出器１０から出力される電気信号の一部に基づき、フォーカスエラー信号生成回路１３によりフォーカスエラー信号が生成される。同様に、光検出器１０から出力される電気信号の一部に基づき、トラッキングエラー信号生成回路１４によりトラッキングエラー信号が生成される。フォーカス制御回路１６は、フォーカスエラー信号に基づきビームスポットのフォーカスを制御する。トラッキング制御回路１７は、トラッキングエラー信号に基づきビームスポットのトラッキングを制御する。
【０１０２】
ここで、主制御部２０による交替処理について説明する。情報記憶媒体１をフォーマットする時には、サーティファイが実行される。このとき、主制御部２０は、情報記憶媒体１の欠陥を検出する。このとき検出された欠陥、即ち初期欠陥に関する欠陥管理情報は、主制御部２０により情報記憶媒体１のＤＭＡの中のＰＤＬに記録される。欠陥管理情報は、交替元のセクタのアドレスと交替先のセクタのアドレスとを含む。通常の記録時にも、主制御部２０は、媒体上の欠陥を検出する。このとき検出された欠陥、即ち２次欠陥に関する欠陥管理情報は、主制御部２０により媒体のＤＭＡの中のＳＤＬに記録される。欠陥管理情報は、交替元のＥＣＣブロックの先頭セクタのアドレスと交替先のＥＣＣブロックの先頭セクタのアドレスとを含む。ＰＤＬ及びＳＤＬに基づき、交替元に対するアクセスは、交替先に対するアクセスと見なされる。
【０１０３】
本実施形態に係る情報記録再生装置１００において、情報記憶媒体１を記録する手段は主制御部２０の記録制御手段に含まれ、情報記憶媒体１を再生する手段は、主制御部２０の再生制御手段に含まれるものである。
【０１０４】
また、ＤＭＡマネージャが有する欠陥管理エリア（ＤＭＡ）の位置を示す情報を補完する手段は、主制御部２０のＤＭＡ制御手段に含まれるものである。
【０１０５】
本実施形態に係る情報記録再生装置１００によれば、ＥＣＣブロック単位でのエラーがその誤り訂正能力を超えて発生した場合であってもＤＭＡマネージャに記憶されている最新のＤＭＡの位置情報を読み出すことを可能とし、短時間でＤＭＡにアクセスすることができる。
【０１０６】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１０７】
【図１】本発明に係る情報記録再生装置の一実施形態が記録、再生の対象とする情報記憶媒体の物理的配置概念を示す図。
【図２】本発明に係る情報記録再生装置の一実施形態が記録、再生の対象とする情報記憶媒体のデータ構造を示す第１の図。
【図３】本発明に係る情報記録再生装置の一実施形態が記録、再生の対象とする情報記憶媒体のデータ構造を示す第２の図。
【図４】本発明に係る情報記録再生装置の一実施形態が記録、再生の対象とする情報記憶媒体のデータ構造を示す第３の図。
【図５】本発明に係る情報記録再生装置の一実施形態が記録、再生の対象とする情報記憶媒体のデータ構造を示す第４の図。
【図６】本発明に係る情報記録再生装置の一実施形態におけるＤＭＡマネージャ読み取り、補完処理の一例を示す基本フローチャート。
【図７】本発明に係る情報記録再生装置の一実施形態におけるＤＭＡマネージャ読み取り、補完処理の一例を示す第１の詳細フローチャート。
【図８】本発明に係る情報記録再生装置の一実施形態におけるＤＭＡマネージャ読み取り、補完処理の一例を示す第２の詳細フローチャート。
【図９】本発明に係る情報記録再生装置の一実施形態におけるＤＭＡマネージャ読み取り、補完処理の一例を示す第３の詳細フローチャート。
【図１０】本発明に係る情報記録再生装置の一実施形態におけるＤＭＡマネージャ読み取り、補完処理の一例を示す第４の詳細フローチャート。
【図１１】本発明に係る情報記録再生装置の一実施形態のシステム構成例を示す図。
【符号の説明】
【０１０８】
１  情報記憶媒体
２  変調回路
３  レーザ制御回路
１１  信号処理回路
１２  復調回路
１３  フォーカスエラー信号生成回路
１４  トラッキングエラー信号生成回路
１６  フォーカス制御回路
１７  トラッキング回路
２０  主制御部
【図１】
2007035198.tif 000003
【図２】
2007035198.tif 000004
【図３】
2007035198.tif 000005
【図４】
2007035198.tif 000006
【図５】
2007035198.tif 000007
【図６】
2007035198.tif 000008
【図７】
2007035198.tif 000009
【図８】
2007035198.tif 000010
【図９】
2007035198.tif 000011
【図１０】
2007035198.tif 000012
【図１１】
2007035198.tif 000013